(57)【要約】【課題】  安価で、実用性があり、しかも確実に花粉などの防塵が可能な防塵眼鏡を提供する。【解決手段】  本発明の簡易防塵眼鏡１０は、顔の両眼とその周辺部分を覆う基布１１と、該基布１１の両眼にあたる部分に穿設された孔１２，１２と、該孔を塞ぐ透明板１３と、前記基布の両端に設けられた伸縮性のある耳掛け紐１４と、を有することを特徴としている。本発明の防塵眼鏡は、両眼の周囲を基布１１でぴったりと閉じて、花粉やゴミが眼に入るのを防止することができる。基布１１が布や合成樹脂製のシートなので、軽量にでき、かつ、安価にできるので、使い捨てにすることができる。【選択図】      図１
2007093659.tif 000002
【特許請求の範囲】
【請求項１】
顔の両眼とその周辺部分とを覆う基布と、該基布の両眼にあたる部分に穿設された孔と、該孔を塞ぐ透明板と、前記基布の両端に設けられた耳掛け紐と、を有することを特徴とする簡易防塵眼鏡。
【請求項２】
前記基布が、そのほぼ全面で顔面に密着することを特徴とする請求項１記載の簡易防塵眼鏡。
【請求項３】
前記基布がその周囲の少なくとも一部を顔面側に折り曲げていることを特徴とする請求項１又は２記載の簡易防塵眼鏡。
【発明の詳細な説明】
【技術分野】
【０００１】
本発明は、花粉症や防塵のために使用する簡易な構造の防塵眼鏡に関する。
【背景技術】
【０００２】
毎年春になると、杉や檜の花粉症が問題となる。花粉症対策として、各種のマスクが市販されているが、目の充血やかゆみを防止するのに効果的なものがない。
【０００３】
透明のガラスをはめたゴムなどの弾性体で形成された枠体を、眼の周囲にぴったり押し当てて使用する防塵眼鏡（ゴーグル）は知られている。しかし、これは大型であり、重く、かつ、大げさで、通常の生活で使用するのには向いていない。
【０００４】
また、眼鏡のフレームの周囲にプラスチックなどの覆いを設け、花粉の進入を防止するものもある。しかし、これは、顔と覆いの間を確実に密閉することができず、花粉症対策としては不完全なものである。
【０００５】
また、花粉症対策用の眼鏡としては、特許文献１（特開２００５−１０３１４４号）がある。これは、密閉とは異なる方向から花粉症に対応したもので、眼鏡の鼻パッドに、イオン化傾向の異なる金属片を貼るものである。眼鏡を装着すると、異なる金属片が鼻に当接し、両金属片間に微弱電流が流れ、微弱電流は鼻を導通し、花粉症鼻炎、アレルギー性鼻炎などによる鼻水、鼻づまり、くしゃみの症状を緩和することができる。
【０００６】
また、特許文献２（特開２００４−２５８５９１号）では、眼鏡の鼻パッドに磁気シートを貼り、これによって、花粉症などの諸症状の緩和を図っている。
【特許文献１】特開２００５−１０３１４４号
【特許文献２】特開２００４−２５８５９１号
【発明の開示】
【発明が解決しようとする課題】
【０００７】
しかしながら、特許文献１及び２に記載のものは、効果が不十分である。また、ゴーグルは特殊な作業のためのものであり、通常の社会生活で使用するには不向きである。本発明は、斯かる実情に鑑み、考えられたもので、安価で、実用性があり、しかも確実に花粉などの防塵が可能で簡易な構造の眼鏡を提供することを目的としている。
【課題を解決するための手段】
【０００８】
本発明の簡易防塵眼鏡は、顔の両眼とその周辺部分とを覆う基布と、該基布の両眼にあたる部分に穿設された孔と、該孔を塞ぐ透明板と、前記基布の両端に設けられた耳掛け紐と、を有することを特徴としている。ここで基布とは、織地、編地、不織布だけでなく、軟質の合成樹脂製のシートも含むものである。
【０００９】
前記基布が、そのほぼ全面が顔面に密着する構成としたり、前記基布がその周囲の少なくとも一部を顔面側に折り曲げている構成としたり、前記基布にマスクを接続した構成としたり、前記基布に、透明板と眼との距離を保つための枠を設けた構成としたりすることができる。
【発明の効果】
【００１０】
本発明の簡易防塵眼鏡は、両眼の周囲を基布でぴったりと閉じて、花粉やゴミが眼に入るのを防止することができる。基布が布製なので、軽量にでき、かつ、安価にできるので、使い捨てにすることができる。基布のほぼ全体が顔面に密着するので、薄くすることができる。
【００１１】
前記基布がその周囲の少なくとも一部を顔面側に折り曲げている構成とすると、透明板と眼との距離を離すことができ、透明板が眼に触れることを防止することができる。
【発明を実施するための最良の形態】
【００１２】
以下、本発明の実施例を添付図面を参照して説明する。
【００１３】
図１は、本発明の簡易防塵眼鏡の分解斜視図で、図２は組み立てた状態を示す斜視図である。簡易防塵眼鏡（以下「眼鏡」という）１０は、顔の両眼とその周辺部を覆う基布１１と、この基布１１の眼を覆う部分に開けられた一対の孔１２，１２と、この孔１２，１２を塞ぐ透明板１３と、基布１１の両側に設けられた耳掛け紐１４とを有する。
【００１４】
基布１１は、布であればよく、多様な織地や編地や不織布を使用できるが、通常の使い捨てマスクに使用される布、たとえば、ガーゼ、不織布が、安価であり、かつ、顔面へのフィット感も好適であることから望ましいといえる。ガーゼ等の薄い布の場合、複数枚を重ねて使用する。不織布を使用すると、積層する必要もなく、裁断したままで縫製が不要になる部分が多くなり、製造コストを下げることができる。また、軟質の合成樹脂製のシートを使用することもできる。
【００１５】
基布１１には、眼に当たる部分に孔１２，１２を穿設する。基布１１を不織布にした場合、孔はプレス等で開けて、孔の縁は切断したままでもよいが、ガーゼなど複数枚重ねた基布の場合は、孔の周囲は接着材で固めたり、糸で縫合するなどの必要がある。
【００１６】
基布１１は、その全面が顔面に密着することが望ましいが、顔面が複雑な形状の曲面なので、全面が完全に密着することは難しい。しかしながら、本発明は、ゴーグルのように枠体を使用することなく、基布１１が直接顔面に密着することで花粉などのゴミの進入を防止することに特徴がある。したがって、基布１１は防塵できる範囲であれば、一部で顔面に密着していなくてもよく、このような意味から、ほぼ全面が密着した状態であればよいとしている。
【００１７】
透明板１３は、ガラスでもよいが、プラスチック製にすると、安価で、薄くしかも軽く丈夫にできることから望ましい。透明板１３は無色でも有色でも透明であればよい。また、実施例では左右の眼に対応する透明板１３をつないで１枚にしているが、左右別々の透明板にしてもよい。透明板１３は、接合部から空気が漏れないように接着材などで孔１２の周囲の基布１１に固定する。基布１１が二重構造の場合は、透明板１３を中間に挿入してもよい。また、透明板１３と孔１２とは、顔の左右両側方向に大きくすることで、左右の視界を広くすることができる。
【００１８】
耳掛け紐１４は、伸縮性のある紐状のものが望ましく、たとえば、ガーゼマスクに使用されているゴム紐でもよいし、不織布を使用してもよい。不織布が備えている伸縮性で、防塵眼鏡１０を係止するのに十分な伸縮性を得ることができる。基布１１を不織布にした場合は、耳掛け紐１４を基布１１と同じ不織布で作ることができ、基布１１と耳掛け紐１４とを一体のものとしてプレスなどで打ち抜いて形成することも可能である。
【００１９】
基布１１は、布製や柔軟な合成樹脂製なので、防塵眼鏡１０を眼にあてて、耳掛け紐１４を耳に掛けて顔に装着したとき、透明板１３の周辺の基布１１のほぼ全面が、顔面に密着し、眼に花粉やごみが進入することを防止できる。また、防塵眼鏡１０の厚さが全体に薄くできるので、防塵眼鏡１０の上から通常の近視や乱視用の眼鏡を掛けてもよい。
【００２０】
なお、鼻の部分や額の部分などの顔面との密着が十分にできない箇所には、針金などの顔面形状に沿って自在に曲げることのできるものやスポンジなどの密閉手段１５を基布１１の顔面側に貼付しておくとよい。針金を顔面に沿って曲げることによって、あるいはスポンジなどによって、基布１１と顔面との密着性を向上させて隙間をなくし、防塵効果を確実なものにすることができる。
【００２１】
基布１１の形状は、図示のものに限定されるものではなく、角を丸くするなどの任意の変形が可能である。また、基布１１の形状を変えたり、透明板１３の周囲や耳掛け紐１４の部分に色彩を付けたり、透明板１３を色付きにしたり、紫外線をカットできる素材にしたり、模様などを描くことで、ファッション性を持たせ、アクセサリーとして利用することができる。
【００２２】
図３は、本発明の防塵眼鏡の第２実施例である。大部分は実施例１の防塵眼鏡１０と同じで、この実施例では、基布１１の内側の孔１２，１２の周囲に枠１６を設けている。これは、防塵眼鏡１０を使用したとき、透明板１３と眼とが近づき過ぎる場合に、枠１６を設けることによって、透明板１３と眼との距離を離せるようにしたものである。枠１６は、プラスチックなどで形成し、基布１１に接着材などで固定する。あるいは、枠１６に突起を形成し、この突起を基布１１に差し込むことで着脱可能に係止するように構成してもよい。基布１１は枠１６の外側に大きくはみ出しており、防塵眼鏡１０を耳掛け紐１４で顔に装着したとき、基布１１がそのほぼ全面で顔面に密着できるようにする。
【００２３】
図４は、枠１６に代えて、基布１１の外側の孔１２，１２の周囲に枠１７を取り付けるようにしたものである。この枠１７に透明板１３を貼りつけることで、枠１６と同様に、眼と透明板１３との距離を確保することができる。
【００２４】
図５は、本発明の防塵眼鏡の第３実施例である。この実施例の防塵眼鏡２０は、図１の防塵眼鏡１０の下部にマスク２１を接続したものである。このような構成にすることで、眼鏡とマスクを別々に装着する煩わしさを回避することができる。この実施例のマスク２１は、鼻と口を覆うものであるが、鼻だけを覆うマスクとしてもよい。
【００２５】
本発明の防塵眼鏡１０，２０は、布製の基布１１と、プラスチック製の透明板１３とからなり、全ての部品が簡単な構成で安価にできるものであることから、製造コストが安くなり、使い捨てにすることができる。
【００２６】
図６は、本発明の第４実施例である。この実施例の防塵眼鏡３０は、孔３２は左右の孔１２，１２を連続したものである。連続した孔３２にすることで、視界を広くすることができる。耳掛け紐１４は、ゴム紐を使用している。また、実施例１においては、孔１２，１２に透明板１３を取り付けるが、基布１１が薄いと、瞼に透明板１３が当たり、眼を開けられなくなる。そこで、この実施例では、基布３１の上下の端部を顔面側に折り曲げた折曲部３１ａ，３１ａを設けている。このように折曲部３１ａを形成することによって、基布３１はそのほぼ全面で顔面に接触でき、かつ、眼と透明板１３との距離を離し、眼が透明板１３に当たらないようにすることができる。図の例では、折曲部３１ａは上下だけであるが、左右にも設けてもよい。
【図面の簡単な説明】
【００２７】
【図１】本発明の簡易防塵眼鏡の分解斜視図である。
【図２】組み立てた状態を示す斜視図である。
【図３】本発明の防塵眼鏡の第２実施例を示す斜視図である。
【図４】本発明の防塵眼鏡の第２実施例の別の例を示す斜視図である。
【図５】本発明の防塵眼鏡の第３実施例示す斜視図である。
【図６】本発明の防塵眼鏡の第４実施例示す斜視図である。
【符号の説明】
【００２８】
１０，２０，３０    防塵眼鏡
１１，３１    基布
１２，３２    孔
１３    透明板
１４    耳掛け紐
１５    密閉手段
１６    枠
２１    マスク
３１ａ  折曲部
【図１】
2007093659.tif 000003
【図２】
2007093659.tif 000004
【図３】
2007093659.tif 000005
【図４】
2007093659.tif 000006
【図５】
2007093659.tif 000007
【図６】
2007093659.tif 000008